(57)【要約】【課題】適切な畦塗り作業ができる畦塗り機を提供する。【解決手段】畦塗り機１は、土を盛り上げる盛土体と、この盛土体による盛土を締め固めて畦を形成する畦形成体４とを備える。畦塗り機１は、盛土体を覆う盛土体カバー６を備える。盛土体カバー６は、後カバー部42を有する。後カバー部42は、土を後方に逃がさない閉状態および土を後方に逃がす開状態に切換可能となっている。【選択図】図１
2015097497.tif 000002
【特許請求の範囲】
【請求項１】
土を盛り上げる盛土体と、
この盛土体による盛土を締め固めて畦を形成する畦形成体と、
前記盛土体を覆う盛土体カバーとを備え、
前記盛土体カバーは、後カバー部を有し、
前記後カバー部は、土を後方に逃がさない閉状態および土を後方に逃がす開状態に切換可能となっている
ことを特徴とする畦塗り機。
【請求項２】
後カバー部は、左右方向に並ぶ複数の後カバー部材にて構成され、
前記複数の後カバー部材の各々は、閉状態および開状態に個別に切換可能となっている
ことを特徴とする請求項１記載の畦塗り機。
【請求項３】
後カバー部は、盛土体カバーのカバー本体部に前後方向に回動可能に設けられている
ことを特徴とする請求項１または２記載の畦塗り機。
【請求項４】
後カバー部を閉状態および開状態に固定するための固定手段を備える
ことを特徴とする請求項１ないし３のいずれか一記載の畦塗り機。
【発明の詳細な説明】
【技術分野】
【０００１】
本発明は、適切な畦塗り作業ができる畦塗り機に関するものである。
【背景技術】
【０００２】
従来、例えば特許文献１に記載された畦塗り機が知られている。
【０００３】
この従来の畦塗り機は、例えばトラクタ等の走行車の後部に連結される機体と、この機体に回転可能に設けられ土を盛り上げる盛土体と、この盛土体による盛土を締め固めて畦を形成する畦形成体と、盛土体を覆う盛土体カバーとを備え、この盛土体カバーは、盛土体の後方部を覆う後カバー部を有している。
【先行技術文献】
【特許文献】
【０００４】
【特許文献１】特開２０１１−１９４９０号公報
【発明の概要】
【発明が解決しようとする課題】
【０００５】
しかしながら、上記従来の畦塗り機では、例えば土質等によっては、畦形成体側に供給される土の量が過大となる場合があり、適切な畦塗り作業ができないおそれがある。
【０００６】
本発明は、このような点に鑑みなされたもので、適切な畦塗り作業ができる畦塗り機を提供することを目的とする。
【課題を解決するための手段】
【０００７】
請求項１記載の畦塗り機は、土を盛り上げる盛土体と、この盛土体による盛土を締め固めて畦を形成する畦形成体と、前記盛土体を覆う盛土体カバーとを備え、前記盛土体カバーは、後カバー部を有し、前記後カバー部は、土を後方に逃がさない閉状態および土を後方に逃がす開状態に切換可能となっているものである。
【０００８】
請求項２記載の畦塗り機は、請求項１記載の畦塗り機において、後カバー部は、左右方向に並ぶ複数の後カバー部材にて構成され、前記複数の後カバー部材の各々は、閉状態および開状態に個別に切換可能となっているものである。
【０００９】
請求項３記載の畦塗り機は、請求項１または２記載の畦塗り機において、後カバー部は、盛土体カバーのカバー本体部に前後方向に回動可能に設けられているものである。
【００１０】
請求項４記載の畦塗り機は、請求項１ないし３のいずれか一記載の畦塗り機において、後カバー部を閉状態および開状態に固定するための固定手段を備えるものである。
【発明の効果】
【００１１】
本発明によれば、盛土体カバーの後カバー部は、土を後方に逃がさない閉状態および土を後方に逃がす開状態に切換可能となっているため、畦形成体側に供給される土の量を調整でき、適切な畦塗り作業ができる。
【図面の簡単な説明】
【００１２】
【図１】本発明の第１の実施の形態に係る畦塗り機の平面図である。
【図２】同上畦塗り機の非作業状態時の平面図である。
【図３】同上畦塗り機の側面図である。
【図４】（ａ）は同上畦塗り機の部分平面図、（ｂ）は同上畦塗り機の部分側面図である。
【図５】（ａ）は同上畦塗り機の外側開状態時の部分平面図、（ｂ）は同上畦塗り機の外側開状態時の部分側面図である。
【図６】同上畦塗り機の部分斜視図である。
【図７】同上畦塗り機の部分背面図である。
【図８】（ａ）ないし（ｃ）は同上畦塗り機の作用説明図である。
【図９】本発明の第２の実施の形態に係る畦塗り機の部分側面図である。
【図１０】本発明の第３の実施の形態に係る畦塗り機の部分側面図である。
【発明を実施するための形態】
【００１３】
本発明の第１の実施の形態について図１ないし図８を参照して説明する。
【００１４】
図中の１は畦塗り機で、この畦塗り機１は、例えば走行車であるトラクタ（図示せず）の後部に連結され、トラクタの前進走行により前方（進行方向）に移動しながら畦塗り作業をするものである。
【００１５】
畦塗り機１は、図１ないし図３に示されるように、トラクタの後部の３点リンク部（作業機昇降装置）に脱着可能に連結される機体２と、この機体２に回転可能に設けられ所定方向に回転しながら田面および畦（元畦）の土を耕耘して盛り上げる前処理体である盛土体（ロータリー部）３と、機体２に回転可能に設けられ盛土体３の後方で所定方向に回転しながら盛土体３による盛土を締め固めて畦（新畦）を形成する畦形成体（ディスク部）４とを備えている。なお、畦形成体４の周速（回転速度）は、この畦形成体４が畦に対してスリップ状態で回転するように、トラクタの走行速度よりも速い。
【００１６】
また、畦塗り機１は、機体２に設けられ盛土体３を覆う盛土体カバー６と、機体２に設けられ畦形成体４を覆う畦形成体カバー７とを備えている。
【００１７】
機体２は、トラクタの後部の３点リンク部に脱着可能に連結される連結機枠11を有している。連結機枠11は、軸保持部12を有し、この軸保持部12にて前後方向の入力軸13が回転可能に保持されている。なお、入力軸13は、トラクタのＰＴＯ軸にジョイントを介して接続される。
【００１８】
連結機枠11には、互いに平行に位置する左右１対の回動アーム（平行リンク）14の前端部が回動可能に取り付けられている。両回動アーム14の後端部は、伝動ケース（ミッションケースおよびチェーンケース等）を兼ねた可動機枠15に回動可能に取り付けられている。
【００１９】
連結機枠11と可動機枠15との間には、可動機枠15を連結機枠11に対して左右方向に移動させる伸縮可能な駆動手段であるシリンダ16が架設されている。そして、シリンダ16の伸び動作により可動機枠15が作業位置に移動して畦塗り機１が作業状態となり（図１参照）、シリンダ16の縮み動作により可動機枠15が非作業位置である格納位置に移動して畦塗り機１が非作業状態となる（図２参照）。
【００２０】
可動機枠15は、軸保持部17を有し、この軸保持部17にて前後方向の中間入力軸18が回転可能に保持され、この中間入力軸18と入力軸13とがジョイント19を介して接続されている。また、可動機枠15は、盛土体３を回転可能に保持する盛土体保持部21と、畦形成体４を回転可能に保持する畦形成体保持部22とを有している。さらに、可動機枠15には、圃場を走行するゲージ輪23が設けられている。
【００２１】
盛土体３は、機体２の可動機枠15の盛土体保持部21にて回転可能に保持された水平な左右方向の回転軸（耕耘軸）26を有している。回転軸26の爪ホルダー部26aには、回転軸26とともに所定方向に回転しながら田面および畦の土を耕耘して畦上に盛り上げる複数の盛土爪（耕耘爪）27が取り付けられている。
【００２２】
畦形成体４は、機体２の可動機枠15の畦形成体保持部22にて回転可能に保持された水平な左右方向の回転軸28を有し、この回転軸28には畦形成部材29が設けられている。
【００２３】
畦形成部材29は、回転軸28とともに所定方向に回転しながら盛土体３による盛土を締め固めて田面側に向かって下り傾斜する傾斜状の畦側面を形成する截頭円錐状の畦側面形成部31と、回転軸28とともに所定方向に回転しながら盛土体３による盛土を締め固めて水平状の畦上面を形成する円筒状の畦上面形成部32とを有している。なお、畦側面形成部31は、例えば回転方向に並ぶ複数枚の畦形成板33にて構成されている。
【００２４】
盛土体カバー６は、図４ないし図８にも示されるように、盛土体３の盛土爪27にて放てきされる土（盛土）を案内して後部右側（盛土体カバー６の後部における畦側である外側）の排出口40から畦形成体４側に向けて排出して供給するとともに、盛土体３の盛土爪27にて放てきされる土の飛散を防止するものである。
【００２５】
この盛土体カバー６は、盛土体３の上方部および左右の側方部を覆う板状のカバー本体部41と、盛土体３の反畦側である左側（盛土体保持部21側である内側）の後方部を覆う板状の後カバー部42とを有している。
【００２６】
カバー本体部41は、互いに離間対向する左右１対の対向側板46，47を有し、左側（内側）の対向側板46が右側（外側）の対向側板47よりも大きく形成されている。また、両対向側板46，47の上端部同士が、平面視矩形状の上板48にて連結されている。なお、カバー本体部41の後部右側には、後方に向かって開口する土排出用後開口部である排出口40が開口形成されている。
【００２７】
後カバー部42は、盛土体３の左側の後方部を覆って盛土体３からの土を後方に逃がさない鉛直姿勢の閉状態（通常状態）と、下方に土逃がし用スペース39を有して盛土体３からの土を後方（畦形成体４の内側方）に逃がす開状態（土逃がし状態）とに、選択的に切換可能となっている。なお、後カバー部42の閉状態とは、土を後方に完全に逃がさない場合のほか、土を後方にほとんど逃がさない場合も含まれる。
【００２８】
また、後カバー部42は、例えば互いに隣接した状態で左右方向に並ぶ板状（均平板のような形状）の複数、例えば２つの後カバー部材、つまり内側後カバー部材（左側後カバー部材）42aと外側後カバー部材（右側後カバー部材）42bとにて構成されている。
【００２９】
そして、内側後カバー部材42aおよび外側後カバー部材42bの各々は、閉状態および開状態に個別に切換可能となっている。すなわち例えば、両後カバー部材42a，42bが閉状態である状態（図８（ａ）に示す状態）と、両後カバー部材42a，42bが開状態である状態（図８（ｃ）に示す状態）と、両後カバー部材42a，42bのいずれか一方が閉状態でかついずれか他方が開状態である状態（図８（ｂ）に示す状態）とに、選択的に切換固定可能となっている。なお、各後カバー部材42a，42bは、対応する固定手段43によって閉状態および開状態にそれぞれ固定されるようになっている。
【００３０】
ここで、後カバー部42を構成する左右の両後カバー部材42a，42bは、カバー本体部41の後部左側（後部内側）に、上端部に位置する水平な左右方向の回動中心軸線（回動支点）Ｘを中心として下端側が昇降するように前後方向に回動可能に設けられている。つまり、各後カバー部材42a，42bは、取付手段50を介してカバー本体部41の上板48の後部左側に回動中心軸線Ｘを中心として前後方向に回動可能に取り付けられている。
【００３１】
取付手段50は、複数のボルト51によってカバー本体部41の上板48の後部左側に脱着可能に取り付けられた左右方向長手状の取付板52を有している。取付板52は、傾斜板部53および鉛直板部54にて構成され、傾斜板部53が上板48の上面に取り付けられ、鉛直板部54が左右方向長手状のフレームパイプである筒状部材55の前面に固着されている。
【００３２】
また、筒状部材55の左右方向両端部および左右方向中央部には、対をなす略三角形状の支持板56が筒状部材55の下面よりも下方に位置するようにそれぞれ固設されている。各支持板56には、孔部57が形成されている。
【００３３】
さらに、筒状部材55の後面の２箇所には、前後方向長手状の取付アーム（アーム止め部材）58の前端部が固着されており、これら２本の取付アーム58は、筒状部材55の後面から後方へ突出した状態で互いに平行に位置している。各取付アーム58は、後端側が二股に分かれた形状であり、閉状態用アーム部59および開状態用アーム部60を後端側に有し、この各アーム部59，60の下端部には孔部45が形成されている。
【００３４】
内側後カバー部材42aは、盛土体３の左側の後方部を覆う矩形状のカバー板61を有している。カバー板61は、内側後カバー部材42aの閉状態時には鉛直面に沿って位置し、内側後カバー部材42aの開状態時には鉛直方向に対して傾斜した前高後低の傾斜面に沿って位置する。
【００３５】
また、カバー板61の右端部である外側端部には、外側側板（中央側板）62がカバー板61に対して直交状でかつカバー板61から後方に突出した状態に固着されている。カバー板61の左端部である内側端部には、内側側板63がカバー板61に対して直交状でかつカバー板61から前方および後方に突出した状態に固着されている。
【００３６】
なお、内側側板63は、カバー本体部41の左側の対向側板46の内側方近傍に位置し、側面視でこの内側側板63と左側の対向側板46とが互いに部分的に重なるようになっている。例えば内側後カバー部材42aの開状態時でも、側面視で内側側板63の前端部と左側の対向側板46の後端部とが互いに重なるようになっている。
【００３７】
外側後カバー部材42bは、内側後カバー部材42aと同様、盛土体３の左側の後方部を覆う矩形状のカバー板71を有している。カバー板71は、外側後カバー部材42bの閉状態時には鉛直面に沿って位置し、外側後カバー部材42bの開状態時には鉛直方向に対して傾斜した前高後低の傾斜面に沿って位置する。
【００３８】
また、カバー板71の右端部である外側端部には、略三角形状の外側側板72がカバー板71に対して直交状でかつカバー板71から後方に突出した状態に固着されている。カバー板71の左端部である内側端部には、内側側板（中央側板）73がカバー板71に対して直交状でかつカバー板61から後方に突出した状態に固着されている。なお、外側後カバー部材42bの内側側板73と内側後カバー部材42aの外側側板62とが同じ形状に形成され、互いに近接状に配設されている。
【００３９】
さらに、内側後カバー部材42aおよび外側後カバー部材42bの各側板62，63，72，73の上端部には孔部（図示せず）が形成されている。そして、外側後カバー部材42bの外側側板72の孔部および対応する外側の支持板56の孔部57に支持ボルト65が挿通され、この支持ボルト65の軸部にナット66が螺合されている。また、外側後カバー部材42bの内側側板73の孔部、内側後カバー部材42aの外側側板62の孔部および対応する中央側の支持板56の孔部57に支持ボルト65が挿通され、この支持ボルト65の軸部にナット66が螺合されている。さらに、内側後カバー部材42aの内側側板63の孔部および対応する内側の支持板56の孔部57に支持ボルト65が挿通され、この支持ボルト65の軸部が可動機枠15の盛土体保持部21のチェーンケースのねじ孔部（図示せず）に螺合されている。なお、例えば外側側板62と同様、支持ボルト65の軸部にナット66を螺合するようにしてもよい。
【００４０】
こうして、内側後カバー部材42aおよび外側後カバー部材42bは、３本の支持ボルト65によって回動中心軸線Ｘを中心として回動可能に支持されている。回動中心軸線Ｘは、支持ボルト65の軸部の軸芯を通る線である。なお、例えば可動機枠15に取り付けられた支持棒のみで、後カバー部材（後カバー部）42a，42bを回動可能に支持するようにしてもよい。
【００４１】
また、各カバー板61，71の下端部後面には、左右方向長手状で山型状の取付部材76が固着されている。取付部材76の左右方向中央部には、略三角形状の突出板77が上方に向かって突出するように固着されている。そして、突出板77と取付アーム58との間に、丸棒状の固定用の長手状部材であるアーム81が脱着可能に架設されている。
【００４２】
つまり、内側後カバー部材42aをカバー本体部41に対して閉状態および開状態に固定するための内側のアーム81は、その下端部が内側後カバー部材42aの突出板77に左右方向のピン82を介して脱着可能に取り付けられ、その上端部が内側の取付アーム58の閉状態用アーム部59および開状態用アーム部60のうちの選択した一方に左右方向のピン83を介して脱着可能に取り付けられている。すなわち、この内側のアーム81の上端部の取付位置の変更によって、内側後カバー部材42aを閉状態および開状態に選択的に切換可能となっている。
【００４３】
同様に、外側後カバー部材42bをカバー本体部41に対して閉状態および開状態に固定するための外側のアーム81は、その下端部が外側後カバー部材42bの突出板77に左右方向のピン82を介して脱着可能に取り付けられ、その上端部が外側の取付アーム58の閉状態用アーム部59および開状態用アーム部60のうちの選択した一方に左右方向のピン83を介して脱着可能に取り付けられている。すなわち、この外側のアーム81の上端部の取付位置の変更によって、外側後カバー部材42bを閉状態および開状態に選択的に切換可能となっている。
【００４４】
なお、アーム81と左右方向のピン82，83とこの各ピン82，83の孔に対して挿入出可能なＲピン84とにて、固定手段43が構成されている。また、後カバー部42と固定手段43と取付手段50とにて、盛土体カバー６側から畦形成体４側に供給される土（盛土）の量を調整可能な土量調整手段85が構成されている。
【００４５】
次に、畦塗り機１の作用等を説明する。
【００４６】
畦塗り機１をトラクタの後部に連結した状態でトラクタの走行により畦塗り機１を進行方向へ移動させると、盛土体３が所定方向へ回転しながら田面および元畦の土を耕耘してその耕耘土を元畦上に盛土として盛り上げ、その後方で畦形成体４が所定方向に回転しながら盛土を締め固めて新畦を形成する。
【００４７】
ここで、通常では、図８（ａ）に示すように、内側後カバー部材42aおよび外側後カバー部材42bの両方を閉状態にして畦塗り作業を行う。
【００４８】
この際、盛土体３の盛土爪27にて耕耘された土のほとんどが、盛土体カバー６の排出口40から後方へ排出され、畦形成体４側に供給される。
【００４９】
しかし、例えば田面および元畦の土の土質等によっては、畦形成体４側に供給される土の量が過大となる場合がある。
【００５０】
このような場合、作業者は、例えば図８（ｂ）に示すように、内側後カバー部材42aおよび外側後カバー部材42bのうちのいずれか一方、例えば外側後カバー部材42bを開状態にしかついずれか他方、例えば内側後カバー部材42aを閉状態にすることで盛土体カバー６内の容積を少し増やして畦塗り作業を行う。なお、逆に内側後カバー部材42aを開状態にしかつ外側後カバー部材42bを閉状態にしてもよい。
【００５１】
この際、盛土体３の盛土爪27にて耕耘された土の一部は、開状態の外側後カバー部材42bの下方の土逃がし用スペース39から後方へ排出されて逃がされる。その結果、盛土体カバー６の排出口40から畦形成体４側に供給される土の量が減少する。
【００５２】
なおそれでも、盛土体カバー６側から畦形成体４側へ流れる土の量が多いときには、さらに土量を減少させるために、作業者は、例えば図８（ｃ）に示すように、内側後カバー部材42aおよび外側後カバー部材42bの両方を後方へ回動させて開状態に切換固定して畦塗り作業を行う。
【００５３】
そして、この畦塗り機１によれば、盛土体カバー６の後カバー部42は、土を後方に逃がさない閉状態および土を後方に逃がす開状態に選択的に切換可能となっているため、盛土体カバー６側から畦形成体４側に供給される土の量を調整でき、よって、畦形成体側に供給される土の量が過大となるのを防止でき、適切な畦塗り作業ができる。
【００５４】
また、盛土体カバー６の後カバー部42は、左右方向に並ぶ複数の後カバー部材42a，42bにて構成され、これら複数の後カバー部材42a，42bの各々が閉状態および開状態に個別に切換可能となっているため、盛土体カバー６側から畦形成体４側に供給される土の量を適切に調整でき、より一層適切な畦塗り作業ができる。
【００５５】
さらに、後カバー部42の後カバー部材42a，42bは、カバー本体部41の上板48の後部左側に前後方向に回動可能に設けられているため、後カバー部材42a，42bを回動させて固定手段43で固定することによって、後カバー部材42a，42bを容易に所望状態に切り換えることができる。
【００５６】
なお、上記第１の実施の形態では、固定手段43が固定用のアーム81を有する構成について説明したが、例えばアーム81の代わりに、後カバー部42を前方へ付勢して閉状態に固定する伸縮可能な付勢手段であるガススプリングを用いてもよい。
【００５７】
そして、このガススプリングを用いた構成では、例えば石等の異物が閉状態の後カバー部42と盛土体３の盛土爪27との間に入り込んでも、後カバー部42がガススプリングの付勢力に抗して後方へ回動して一旦開状態になることによって、その異物を後方へ逃がすことができる。なお、付勢手段は、ガススプリング以外に、コイルバネやゴムダンパー等を用いたものでもよい。
【００５８】
また、例えば図９に示す第２の実施の形態のように、固定手段43が伸縮杆91を有する構成でもよい。この伸縮杆91は、ピン用孔92が形成されたアウターパイプ93と、直線上に並ぶ複数の調整孔94が形成されアウターパイプ93内に対して出入りするインナーパイプ95とにて構成されている。そして、固定ピン（図示せず）を挿入する調整孔94の変更によって、後カバー部42を閉状態および開状態（傾斜角度が異なる複数の開状態）に選択的に切換可能となっている。
【００５９】
さらに、例えば図１０に示す第３の実施の形態のように、固定手段43として固定ピン96のみを用いた構成でもよい。この構成の場合、ピン用孔（図示せず）が後カバー部42の側面上部に形成され、回動中心軸線Ｘを中心とする円弧上に並ぶ複数の調整孔97が支持板56に形成されている。そして、固定ピン96を挿入する調整孔97の変更によって、後カバー部42を閉状態および開状態（傾斜角度が異なる複数の開状態）に選択的に切換可能となっている。
【００６０】
なお、いずれの実施の形態においても、後カバー部42の開状態の数は任意であり、例えば土量を細かく調整するためには、後カバー部42の開状態を段階的に複数設定できるようにすることが好ましい。
【００６１】
また、後カバー部42は、左右方向に分割して並べた複数（３つ以上でもよい）の後カバー部材（後カバー部構成部材）にて構成されたものには限定されず、例えば内側後カバー部材42aと外側後カバー部材42bとを一体化したような１つの後カバー部材で構成してもよい。なお、後カバー部42は、金属製には限らず、弾性変形可能なゴム製や樹脂製等でもよい。
【００６２】
さらに、後カバー部42は、カバー本体部41に対する回動（回転移動）により閉状態および開状態になるものには限定されず、例えばカバー本体部41に対する上下方向や水平方向に沿った平行移動により閉状態および開状態になるもの等でもよい。
【００６３】
また、例えば後カバー部42を回動させる駆動手段であるモータを設け、このモータを遠隔操作手段で操作して後カバー部42の状態を切り換える構成等でもよい。
【００６４】
なお、本発明の要旨を逸脱しない範囲で、前記各実施の形態および前記各変形例の構成を適宜組み合わせることも可能である。
【符号の説明】
【００６５】
１    畦塗り機
３    盛土体
４    畦形成体
６    盛土体カバー
41    カバー本体部
42    後カバー部
42a   後カバー部材である内側後カバー部材
42b   後カバー部材である外側後カバー部材
43    固定手段
【図１】
2015097497.tif 000003
【図２】
2015097497.tif 000004
【図３】
2015097497.tif 000005
【図４】
2015097497.tif 000006
【図５】
2015097497.tif 000007
【図６】
2015097497.tif 000008
【図７】
2015097497.tif 000009
【図８】
2015097497.tif 000010
【図９】
2015097497.tif 000011
【図１０】
2015097497.tif 000012